(57)【要約】【課題】柔軟なシート等からなる袋体をそのまま使用可能で、詰替え作業を不要とし、ポンプ式容器にも適用可能で、ボトル状本体の表面への印刷作業に支障を来すこともなく、外観にも優れるなどの特長を備えた詰め替えボトルシステムを提供する。【解決手段】液体を封入可能な袋体２と、上部に開口部３ｂと、胴部３ａに袋体を内部に収容するための挿入部３ｃを有するボトル状本体３と、ポンプ機構４を備えたキャップ５とで構成され、袋体を挿入部からボトル状本体の内部に収容し、ボトル状本体の開口部から袋体の液体排出部２ｄを突出させ、液体排出部をキャップによって封止する詰め替えボトルシステム１。ポンプ機構付き容器等において、袋体そのものを交換自在とし、袋体の全体をボトル状本体の内部に収容するため、外観にも優れる。挿入部をボトル状本体の底面近傍に着脱又は開閉自在に形成することができる。【選択図】図１
2006256699.tif 000002
【特許請求の範囲】
【請求項１】
液体を封入可能な袋体と、
上部に開口部と、胴部に前記袋体を内部に収容するための挿入部とを有するボトル状本体と、
ポンプ機構を備えたキャップとで構成され、
前記袋体を前記挿入部から前記ボトル状本体の内部に収容し、該ボトル状本体の前記開口部から前記袋体の液体排出部を突出させ、該液体排出部を前記キャップによって封止することを特徴とする詰め替えボトルシステム。
【請求項２】
前記挿入部は、前記ボトル状本体の底面近傍に着脱又は開閉自在に形成されることを特徴とする請求項１に記載の詰め替えボトルシステム。
【請求項３】
前記袋体の前記液体排出部の外周部と、前記ボトル状本体の前記開口部の内周部とを互いに螺合可能としたことを特徴とする請求項１又は２に記載の詰め替えボトルシステム。
【請求項４】
前記袋体の前記液体排出部の外周部と、前記キャップの内周部とを互いに螺合可能としたことを特徴とする請求項１、２又は３に記載の詰め替えボトルシステム。
【発明の詳細な説明】
【技術分野】
【０００１】
本発明は、詰め替えボトルシステムに関し、特に、洗浄液等の液体を柔軟な袋体から容器に詰め替える必要がなく、柔軟な袋体そのものを交換自在とした詰め替えボトルシステムに関する。
【背景技術】
【０００２】
従来、シャンプーや、洗剤等の液体を収容し、適宜排出して用いるための容器として、ペットボトル、プラスチック容器等の上部に液体を適量取り出すためのポンプ構造を備えたものが使用されている。この容器が空になり、液体を充填する場合には、柔軟な材料からなる詰め替え用袋体が使用されることが多く、詰め替え用袋体からプラスチック容器等に、上部開口部より液体を移し換えている。
【０００３】
しかし、詰め替え用袋体から容器への液体の移し替えの際には、袋体内の液体を容器の狭隘な開口部から内部に注ぎ込む必要があるため、かなりの注意が必要になるとともに、長時間を要することもあり、面倒な作業を強いられていた。また、液体の移し替え時に、液体がこぼれるおそれもあった。
【０００４】
そこで、上記の点に鑑み、特許文献１には、柔軟なシートからなる袋体をそのまま使用することができて詰替え作業が不要で、簡単な操作で適量の液体を放出することができ、通常一般家庭で親しんでいる容器と同様の本格的ボトル形状で、容器部分を廃棄することなく何度でも使用可能な詰め替えボトルシステムが提案されている。
【０００５】
この詰め替えボトルシステムは、図７に示すように、口部６１から胴６２に至る切り欠き部６３によってその上方部が半割とされ、首部６４の外周にねじが備えられ、胴部片６５（図８参照）が形成される胴部５２と、この胴部５２を下方部で一体に結合する底部５３とを備えるボトル状外殻５１内に、図８に示すように、液体放出具６６を備え、洗浄用等の液体が封入されたシート袋５４を挿入保持し、弁体が備えられたキャップ５５をボトル状外殻５１の首部６４に螺装し、胴部片６５を押圧することによりシート袋５４から適量の液体を排出するように構成される。
【０００６】
【特許文献１】特開平１１−３３４７５８号公報
【発明の開示】
【発明が解決しようとする課題】
【０００７】
しかし、上記従来の詰め替えボトルシステムは、胴部片６５を押圧することによりシート袋５４から適量の液体を排出するように構成されているため、ポンプ式容器には適用することができず、また、胴部片６５や、切り欠き部６３が存在するため、胴６２の表面への印刷作業の障害となるとともに、シート袋５４がボトル状外殻５１からはみ出ているため、見栄えが悪いという問題があった。さらに、使用時に、切り欠き部６３から水や塵等が入って底部５３に貯まると、その度に水等を抜く必要があるため使用しずらいとともに、汚れやすいという問題もあった。
【０００８】
そこで、本発明は、上記従来の詰め替えボトルシステムにおける問題点に鑑みてなされたものであり、柔軟なシート等からなる袋体をそのまま使用することができて詰替え作業を不要とした詰め替えボトルシステムであって、容器の内部に水等が貯まっても容易に抜き出すことができ、汚れ難く、ポンプ式容器にも適用することができ、容器の表面への印刷作業に支障を来すこともなく、外観にも優れた詰め替えボトルシステムを提供することを目的とする。
【課題を解決するための手段】
【０００９】
上記目的を達成するため、本発明は、詰め替えボトルシステムであって、液体を封入可能な袋体と、上部に開口部と、胴部に前記袋体を内部に収容するための挿入部とを有するボトル状本体と、ポンプ機構を備えたキャップとで構成され、前記袋体を前記挿入部から前記ボトル状本体の内部に収容し、該ボトル状本体の前記開口部から前記袋体の液体排出部を突出させ、該液体排出部を前記キャップによって封止することを特徴とする。
【００１０】
そして、本発明によれば、液体を封入した袋体を、胴部の挿入部からボトル状本体の内部に収容し、ボトル状本体の開口部から突出させた袋体の液体排出部を、ポンプ機構を備えたキャップによって封止するだけで袋体をボトル状本体に取り付けることができ、袋体を取り替える際には、上記と逆の動作でボトル状本体から使用済みの袋体を取り外した後、新たな袋体を上記と同様の動作で取り付けることができるため、ポンプ機構によって液体を排出する容器において、洗浄液等の液体を袋体から容器に詰め替えることなく、袋体そのものを交換自在とすることができる。また、袋体の全体をボトル状本体の内部に収容することができるとともに、従来のように容器を半割とすることもないため、外観にも優れる。
【００１１】
前記詰め替えボトルシステムにおいて、前記挿入部を、前記ボトル状本体の底面近傍に着脱又は開閉自在に形成することができる。これによって、ボトル状本体の胴部のほとんどの外周面を滑らかな曲面又は平面によって構成することができるため、ボトル状本体の表面への印刷作業に障害となることもなく、外観にも優れた詰め替えボトルシステムを提供することができる。また、仮にボトル状本体の内部に水等が貯まっても、挿入部を取り外したり、開くことにより簡単に抜き出すことができる。
【００１２】
前記詰め替えボトルシステムにおいて、前記袋体の前記液体排出部の外周部と、前記ボトル状本体の前記開口部の内周部とを互いに螺合可能とすることができる。これによって、袋体をボトル状本体に簡単に脱着することができる。
【００１３】
前記詰め替えボトルシステムにおいて、前記袋体の前記液体排出部の外周部と、前記キャップの内周部とを互いに螺合可能とすることができる。これによって、袋体とキャップとを容易に脱着することができる。
【発明の効果】
【００１４】
以上のように、本発明によれば、柔軟なシート等からなる袋体をそのまま使用可能で、詰替え作業を行う必要がなく、ポンプ式容器にも適用可能で、ボトル状本体の表面への印刷作業に支障がなく、外観にも優れた詰め替えボトルシステムを提供することができる。
【発明を実施するための最良の形態】
【００１５】
次に、本発明の実施の形態について図面を参照しながら説明する。
【００１６】
図１は、本発明にかかる詰め替えボトルシステムを組み立てた状態を示し、この詰め替えボトルシステム１は、大別して、液体を封入可能な袋体２と、内部に袋体２を収容することのできるボトル状本体３と、ポンプ機構４を備えたキャップ５とで構成される。
【００１７】
袋体２は、図２に示すように、柔軟な材料で内部に洗浄液等の液体を封入可能に形成された本体２ａと、本体２ａの上部に開口する液体排出部２ｄの近傍に、後述するボトル状本体３の開口部３ｂの内周部の雌ねじ部３ｄと螺合する雄ねじ部２ｂと、キャップ５の内周部の雌ねじ部５ｂと螺合する雄ねじ部２ｃとを備える。
【００１８】
ボトル状本体３は、図３に示すように、内部に上記袋体２を収容する胴部３ａと、胴部３ａの上部に開口する開口部３ｂと、胴部３ａに袋体２を挿入するため、胴部３ａの底部に、胴部３ａに着脱可能に設けられる挿入部３ｃ等で構成される。挿入部３ｃは、その上部が胴部３ａの最下部と当接し、互いに近接させることにより係合し、簡単に離間せず、また周囲から水等が侵入することのない構造、例えば、一般的な樹脂からなる密閉容器の本体と蓋との関係と同様の構造を備える。また、胴部３ａの上部の開口部３ｂの近傍には、袋体２の雄ねじ部２ｂと螺合する雌ねじ部３ｄが形成される。
【００１９】
キャップ５は、図４に示すように、上部にポンプ機構４を備え、ポンプ機構４のステム４ａが貫通するとともに、ステム４ａを固定するための固定部５ａが備えられる。また、キャップ５の内周部には、図５に示すように、袋体２の雄ねじ部２ｃと螺合する雌ねじ部５ｂが形成される。尚、ポンプ機構４の構造については、通常のものと同様であるため説明を省略する。
【００２０】
次に、上記構成を有する詰め替えボトルシステム１の使用方法について、図面を参照しながら説明する。
【００２１】
図２に示すような洗浄液等の液体が封入された袋体２を、図３に示したボトル状本体３の最下部の開口より、胴部３ａの内部に挿入する。次に、袋体２の液体排出部２ｄの近傍をボトル状本体３の開口部３ｂより上方に突出させながら、雄ねじ部２ｂと雌ねじ部３ｄとを螺合させ（図５参照）、袋体２をボトル状本体３に固定する。さらに、ポンプ機構４と一体となったキャップ５を、ステム４ａを開口部３ｂから胴部３ａの内部、すなわち、本体２ａの内部に挿入しながら袋体２の液体排出部２ｄの近傍に被せるようにして、雌ねじ部５ｂと袋体２の雄ねじ部２ｃとを螺合させ、最後に、図３に示すボトル状本体３の胴部３ａに挿入部３ｃを装着することにより、図１及び図５に示す状態となり、使用可能となる。
【００２２】
詰め替えボトルシステム１を使用する際には、ポンプ機構４を押下することによりノズル４ｂより袋体２内の液体が吐出され、一般的に用いられているポンプ付き容器と同様の要領で使用することができる。
【００２３】
袋体２内の液体を使用し終わり、袋体２を新品と取り替える際には、キャップ５の雌ねじ部５ｂと袋体２の雄ねじ部２ｃとの係合を解き、ボトル状本体３の挿入部３ｃを胴部３ａから取り外し、袋体２の本体２ａを手で持って回転させることにより、袋体２の雄ねじ部２ｂとボトル状本体３の雌ねじ部３ｄとの係合を解き、袋体２をボトル状本体３から抜き出す。
【００２４】
尚、上記実施の形態においては、袋体２を床又は台等の上に置いた状態で、ポンプ機構４を押下することにより袋体２の内部の液体をノズル４ｂから吐出させる構造について説明したが、床置きではなく、ポンプ部を手に持って引き金を引くような動作によって液体を噴霧する構造についても本発明を適用することができる。
【００２５】
また、挿入部３ｃは、ボトル状本体３の最下部に設けることが、意匠的な理由、及び取り扱い易さなどの面で好ましいが、必ずしも底面３ｃの近傍に限定されることなく、胴部３ａの中間部又は上部に形成することも可能である。
【００２６】
さらに、袋体２と、ボトル状本体３及びキャップ５との着脱をねじ構造を介して行っているが、ねじ構造に限らず、圧入構造等の着脱構造を用いることもできる。
【００２７】
次に、本発明にかかる詰め替えボトルシステムの第２の実施の形態について説明する。尚、本実施の形態においては、図３に示したボトル状本体３に代えて図６に示したボトル状本体１３を用い、袋体２、ポンプ機構４及びキャップ５については、第１の実施の形態と同様のものを使用する。
【００２８】
ボトル状本体１３は、図６に示すように、内部に上記袋体２を収容する胴部１３ａと、胴部１３ａの上部に開口する開口部１３ｂと、胴部１３ａに袋体２を挿入するため、底面１３ｃの近傍において切開された挿入部１３ｄ等で構成される。胴部１３ａの底部には、挿入部１３ｄを開閉するための係止片１３ｅが突設され、胴部１３ａの内部において係止片１３ｅに対応する位置に設けられた図示しない係止部と係合するように構成される。また、胴部１３ａの上部の開口部１３ｂの近傍には、袋体２の雄ねじ部２ｂと螺合する雌ねじ部１３ｆが形成される。
【００２９】
次に、上記ボトル状本体１３を用いた詰め替えボトルシステムの使用方法について、図面を参照しながら説明する。
【００３０】
図２に示すような洗浄液等の液体が封入された袋体２を、図６に示したボトル状本体１３の開口した挿入部１３ｄより、胴部１３ａの内部に挿入する。次に、袋体２の液体排出部２ｄの近傍をボトル状本体１３の開口部１３ｂより上方に突出させながら、雄ねじ部２ｂと雌ねじ部１３ｆとを螺合させ、袋体２をボトル状本体１３に固定する。以後は、第１の実施の形態と同様に、ポンプ機構４と一体となったキャップ５を、ステム４ａを開口部３ｂから胴部３ａの内部、すなわち、本体２ａの内部に挿入しながら袋体２の液体排出部２ｄの近傍に被せるようにして雌ねじ部５ｂと袋体２の雄ねじ部２ｃとを螺合させ、挿入部１３ｄを胴部１３ａに装着して開口を閉じると使用可能となる。
【００３１】
また、上記のようにして組み立てられた詰め替えボトルシステムの使用要領、及び袋体２の取り替え要領も第１の実施の形態と同様である。
【図面の簡単な説明】
【００３２】
【図１】本発明にかかる詰め替えボトルシステムの第１の実施形態を示す組立図である。
【図２】図１の詰め替えボトルシステムの袋体を示す概略図である。
【図３】図１の詰め替えボトルシステムのボトル状本体を示す一部破断概略図である。
【図４】図１の詰め替えボトルシステムのキャップを示す概略図である。
【図５】図１の詰め替えボトルシステムを組み立てた状態のボトル状本体の上部を示す部分断面図である。
【図６】本発明にかかる詰め替えボトルシステムの第２の実施形態におけるボトル状本体を示す一部破断概略図である。
【図７】従来の詰め替えボトルシステムのボトル状外殻を示す概略図である。
【図８】従来の詰め替えボトルシステムを示す一部分解斜視図である。
【符号の説明】
【００３３】
１  詰め替えボトルシステム
２  袋体
２ａ  本体
２ｂ  雄ねじ部
２ｃ  雄ねじ部
２ｄ  液体排出部
３  ボトル状本体
３ａ  胴部
３ｂ  開口部
３ｃ  挿入部
３ｄ  雌ねじ部
４  ポンプ機構
４ａ  ステム
４ｂ  ノズル
５  キャップ
５ａ  固定部
５ｂ  雌ねじ部
１３  ボトル状本体
１３ａ  胴部
１３ｂ  開口部
１３ｃ  底面
１３ｄ  挿入部
１３ｅ  係止片
１３ｆ  雌ねじ部
【図１】
2006256699.tif 000003
【図２】
2006256699.tif 000004
【図３】
2006256699.tif 000005
【図４】
2006256699.tif 000006
【図５】
2006256699.tif 000007
【図６】
2006256699.tif 000008
【図７】
2006256699.tif 000009
【図８】
2006256699.tif 000010